(57)【特許請求の範囲】
【請求項１】
外部端子に接続されている装置の少なくとも種別情報や識別情報などの装置情報を取得する装置情報取得手段と、少なくとも前記装置情報取得手段で取得した前記装置情報を記憶する装置情報記憶手段と、送信要求が発生した場合の送信情報送信先を記憶する送信先記憶手段と、前記装置情報記憶手段に記憶されている装置をユーザーに提示する装置提示手段と、提示された装置の使用優先順位をユーザーが設定する設定手段と、ユーザーが設定した使用優先順位を記憶する優先順位記憶手段と、送信要求が発生する予定日時を示す情報を記憶する送信日時記憶手段と、前記優先順位記憶手段で記憶している通信装置の使用優先順位と前記装置情報取得手段で取得する種別情報や識別情報に応じて前記送信情報送信先を送信先記憶手段に記憶し、前記送信日時記憶手段に記憶されている送信予定日時情報を前記送信情報送信先であって外部端子に接続されている装置に出力する制御手段とを備えた通信装置。
【請求項２】
前記送信日時記憶手段に記憶している前記予定日時をユーザーに提示する送信日時提示手段とを備えた請求項１記載の通信装置。
【請求項３】
前記送信日時記憶手段に記憶されている予定日時に発生する送信要求で送信予定である予定送信情報を記憶する予定送信情報記憶手段を備え、前記制御手段は前記予定日時以前においても前記予定送信情報記憶手段に記憶されている予定送信情報を前記送信情報送信先であって外部端子に接続されている装置に出力することを特徴とする請求項２記載の通信装置。
【請求項４】
前記使用優先順位の設定は装置情報記憶手段に記憶されている通信装置の無効を設定する設定手段を備えた請求項１乃至請求項３のいずれかに記載の通信装置。
【請求項５】
前記通信装置はデジタル放送受信機であり前記送信要求は視聴履歴情報信要求であり前記予定日時は視聴履歴情報送信予定日時である請求項１記載の通信装置。
【請求項６】
前記通信装置はデジタル放送受信機であり前記送信要求は視聴履歴情報送信要求であり前記予定日時は視聴履歴情報送信予定日時であり前記予定送信情報は視聴履歴情報である請求項３または請求項４記載の通信装置。
【発明の詳細な説明】
【０００１】
【発明の属する技術分野】
本発明は、デジタルテレビジョン放送受信機やパーソナルコンピュータや携帯型電話機や携帯型情報端末機や携帯型電話用アダプターに関するものである。
【０００２】
【従来の技術】
近年、携帯型電話機や携帯型情報端末機を用いてデータ通信する環境が整備され、それらの装置を用いてインターネットアクセスなどが普及している。また、テレビジョンやラジオなどの放送もデジタル化されてきており、それらの放送を受信するデジタル放送受信機も商品化されている。
【０００３】
以下に従来の通信装置ならびにデジタル放送受信装置ならびにアダプター装置ならびに携帯型通信装置について説明する。図１６は従来の通信装置の一例であるデジタル放送受信機の構成を示すものである。
【０００４】
図１６において７００はデジタル放送受信機である。７０１はチューナーで、アンテナで受信したデジタル放送信号を入力し選局して出力する。７０２はトランスポートデコーダーで、チューナー７０１からの出力信号を入力し所望のパケットをフィルタリングして出力する。
７０３はＡＶデコーダーで、トランスポートデコーダー７０２の出力するＡＶデータのパケットを入力しＡＶデコードして出力する。７０４は送信日時ＲＡＭで、トランスポートデコーダー７０２でフィルタリングされる受信機個別情報パケット（以下ＥＭＭパケットと略す）にマッピングされている視聴履歴情報アップロード日時を示すデータを記憶する。
【０００５】
７０５は予定送信データＲＡＭで、ユーザーが有料放送を視聴した履歴情報等の視聴履歴情報をマイコン７０７の制御で記憶する。７１２は内蔵モデムで、前記視聴履歴情報を公衆電話回線通じて図示していない視聴履歴情報収集センターに送信する。７１１はモデムコマンド処理部で、マイコン７０７と内蔵モデム７１２間のコマンドの送受信処理やデータ送受信処理や通信手順の処理を行う。
【０００６】
一般的にはＵＡＲＴが多く用いられる。７０７はマイコンで、デジタル放送受信機７００の各要素ブロックの制御を行う。リモコン７２１、受光回路７２２、ＯＳＤコントローラ７２０は、後述する本従来例に関係する視聴履歴情報送信に直接関わらないので説明を省略した。
【０００７】
また、パケットのやり取りには図示していないＲＡＭを介して行う場合もあるが、本従来例と直接関わらないので省略した。次に視聴履歴情報送信動作について図１７を用いて説明する。一般的にユーザーの意志に関わらずＥＭＭパケットは放送局等から送信されるので、視聴履歴情報アップロード日時はＥＭＭパケットを受信したタイミングで送信日時ＲＡＭ７０４に書き込まれる。
【０００８】
その後その日時までは送信待機となりユーザーの視聴に応じて予定送信データＲＡＭに記憶されている視聴履歴情報は更新される（ＳＴＥＰ１１１）。マイコン７０７は放送局などから送信される時刻情報を参照するか、図示していない時計を参照して送信日時ＲＡＭ７０４に記憶されている日時になれば送信要求を発生させ（ＳＴＥＰ１１２）、予定送信データＲＡＭに記憶されている視聴履歴情報を読み出して、モデムコマンド処理部７１１を用いて、内蔵モデム８１２から前記収集センターに視聴履歴情報を送信するよう制御する（ＳＴＥＰ１１３）。次に図１８は従来の通信装置の一例であるパーソナルコンピュータの構成を示したものである。図１８において８００はパーソナルコンピュータ（以下ＰＣと略す）である。８０７はマイコンで、ＰＣ８００の各要素ブロックの後述するような制御を行う。８２１はキーボードで、ユーザーがＰＣ８００の操作を行うためのユーザーインターフェースである。８２２はキースキャン部で、キーボード８２１のキーをスキャンしユーザーが押したキーの種別をマイコン８０７に送信する。
【０００９】
８１５は携帯電話Ａで、データ通信機能を備えている携帯型電話機である。８１４はアダプターで、携帯電話Ａ８１５の充電と、ＰＣ８００と携帯電話Ａ８１５との間の通信手順変換を行う。８１３はアダプタ８１４を接続するコネクタである。８１８は携帯電話Ｂで、データ通信機能を備えている携帯型電話機である。
【００１０】
８１７は接続ケーブルで、ＰＣ８００と携帯電話Ｂ８１８との接続を行うためのケーブルである。携帯電話Ｂ８１８はＰＣ８００と通信手順が同じであるため、携帯電話Ａの場合のようにアダプタ８１４は必要としていない例である。８１６はケーブル８１７を接続するコネクタである。８０８は携帯電話コマンド処理部で、マイコン７０７とコネクタ８１３やコネクタ８１６に接続する携帯電話機間のコマンドの送受信処理やデータ送受信処理や通信手順の処理を行う。
【００１１】
８０９は挿抜検出部で、コネクタ８１３やコネクタ８１６に接続される装置の抜き差しを検出しその結果をマイコン８０７に出力する。一般的にはＵＳＢインターフェースやＰＣＭＣＩＡインターフェースを用意して挿抜の検出も行っている場合が多い。
【００１２】
８１９はコネクタで、公衆電話回線ケーブルを接続する。８１２は内蔵モデムで、公衆電話回線を用いてデータ通信を行うモデムである。８１１はモデムコマンド処理部で、マイコン８０７と内蔵モデム８１２間のコマンドの送受信処理やデータ送受信処理や通信手順の処理を行う。
【００１３】
一般的にはＵＡＲＴが多く用いられる。８２４は送信データＲＡＭで、ユーザーが携帯電話Ａ８１５か携帯電話Ｂ８１８か内蔵モデム８１２を用いて送信したい電子メールなどのデータをマイコン８０７の制御で記憶するメモリーである。８１０は通信装置情報ＲＡＭで、接続されている通信装置の種別やメーカーなどのデータをマイコン８０７の制御で記憶するメモリーである。
【００１４】
８２３は送信先ＲＡＭで、ユーザーの操作により送信要求が発生した場合に送信データＲＡＭに記憶されているデーターを送信する通信装置を示すデータをマイコン８０７の制御で記憶するメモリーである。一般的にこれらのメモリーは図示していないハードディスク上の所定領域を割り当てられている場合が多い。８２５はグラフィックコントローラで、マイコン８０７の制御でウィンドウ表示などを表示するための描画データの生成を行う。
【００１５】
８２６はＬＣＤコントローラで、グラフィックコントローラ８２５の出力する描画データをＬＣＤパネル８２６に表示するための画素変換などを行う。以上のデータのやり取りには図示していないＲＡＭを介して行う場合もあるが本発明と直接関わらないので説明を省略する。
【００１６】
次にＰＣ８００での電子メール送信動作について図１９を用いて説明する。
【００１７】
ＰＣ８００の外部端子には携帯電話Ｂ８１８のみが接続されているとする。通信装置情報ＲＡＭ８１０には内蔵モデム８１２と携帯電話Ｂ８１８の情報が記憶されており、送信先ＲＡＭには以前にユーザーが設定した内蔵モデムを示す情報が記憶されている。その状態でユーザーが携帯電話Ａ８１５を接続したアダプター８１４をコネクタ８１３に接続すると、挿抜検出部８０９は挿入を検出しその結果をマイコン８０７に伝える（ＳＴＥＰ１２１）。
【００１８】
マイコン８０７は携帯電話コマンド処理部８０８を用いて、コネクタ８１３とコネクタ８１６に接続されている装置の種別やメーカなどのデータを取得する。取得情報を参照し、新たな携帯電話Ａ８１５が接続されていることを認識する（ＳＴＥＰ１２２）。その後通信装置情報ＲＡＭ８１０に携帯電話Ａ８１５の情報を追加し記憶する（ＳＴＥＰ１２３）。
【００１９】
一方ユーザーは携帯電話Ａ８１５を接続した後、通信装置情報ＲＡＭ８１０に記憶されている装置のリストの表示をキーボード８２１を操作して指示する。マイコン８０７はそのユーザーの指示を認識し、通信装置情報ＲＡＭ８１０に記憶されているメーカー名や機種名などの装置情報を読み出し、その情報を参照してリストとして描画するようグラフィックコントローラ８２５を制御する（ＳＴＥＰ１２４）。
【００２０】
ＬＣＤコントローラの制御でＬＣＤパネルに表示された前記リストをユーザーが見て、その中から携帯電話Ａ８１５を使用通信装置として選択しキーボード８２１を操作して指示する。一般的にはリスト上でカーソルを選択する装置にキーボードの方向キーを用いて移動した後決定キーで選択できる（ＳＴＥＰ１２５）。
【００２１】
マイコンはその指示を認識した後、送信データＲＡＭ８２４に記憶されているデータを送信する要求が発生した時に使用する通信装置を携帯電話Ａ８１５に設定し、送信先ＲＡＭに記憶されている情報を携帯電話Ａに更新する（ＳＴＥＰ１２７）。その状態でＰＣ８００は送信待機する（ＳＴＥＰ１２８）。
【００２２】
なおＳＴＥＰ１２１において外部端子の挿抜が検出しなかった時は、送信待機を維持する。送信待機中にユーザーがキーボード８２１を操作して送信データＲＡＭ８２４に記憶されている電子メールを送信するよう指示すると、マイコン８０７はユーザーの指示を認識し電子メールの送信要求を発生する（ＳＴＥＰ１２９）。
【００２３】
マイコン８０７は送信先ＲＡＭ８２３に記憶されているデータと送信データＲＡＭ８２４に記憶されているデータを読み出し、電子メールの内容を送信先に送信するよう制御する（ＳＴＥＰ１３０）。マイコン８０７は、携帯電話Ａ８１５を接続しなかった場合は、スタート時の送信先ＲＡＭ８２３に記憶されている内蔵モデム８１２を用いて送信するよう制御する。
【００２４】
また、携帯電話Ａ８１５を接続して携帯電話Ａ８１５を使用するよう設定してあれば携帯電話Ａ８１５を用いて送信するように制御する。また、携帯電話Ａ８１５を使用するように設定している状態で携帯電話Ａ８１５を外部端子から外した時は、同様に挿抜検出後（ＳＴＥＰ１２１）、ユーザーの指示で通信リストをウインドウ表示し（ＳＴＥＰ１２４）、ユーザーがキーボードを用いて内蔵モデム８１２あるいは携帯電話Ｂ８１８を使用するように指示した内容を認識し（ＳＴＥＰ１２５）、その指示に応じてデータ送信先を設定し、送信先ＲＡＭ８２３にその内容を記憶するよう制御する（ＳＴＥＰ１２７）。
【００２５】
次に図２０は従来の携帯型通信装置の構成を示したものである。
【００２６】
図２０において９００は携帯型電話機である。９０９はマイコンで、携帯型電話機９００の各要素部に対し後述する制御を行う。９０１はコネクタで、ＰＣなどの通信装置やそれらの通信装置との間に接続するアダプターまたはケーブルを接続するためのコネクタである。
【００２７】
９０６はコマンド処理部で、コネクタ９０１に接続される通信装置とマイコン９０９の間でコマンドの送受信や応答などの処理を行う。９０７は送信データ処理部で、コネクタ９０１に接続される通信装置からの送信データを受信して、フォーマット変換などの処理を行い後述する通信モジュール９１１に出力する。９１２は時計で、日時を示す情報をマイコン９０９に出力する。９１１は通信モジュールで、送信データ処理部からの送信データを入力し、電波に乗せるための変調処理などを行う。  他にバッテリー９０３やキーボード９０２やＬＣＤ９０４やＬＣＤ９０５などの要素があるが、本発明における従来例の説明には直接関わらないので、接続の図示や説明を省略する。次に図２１も用いて従来の携帯型電話装置のデータ送信動作の説明を行う。携帯型電話機９００はＰＣなどの通信装置に接続されると、通信装置が送信する通信手順や送信先をユーザーに提示するために必要な種別情報や識別情報を取得するための要求コマンドをコマンド処理部９０７で受信後、それらの情報を通信装置に応答コマンド化して送信する（ＳＴＥＰ１３１）。
【００２８】
その後送信待機状態となる（ＳＴＥＰ１３２）。ＰＣなどの通信装置から送信要求があれば、送信するデータが送られてくるので、送信データ処理部９０７で受信し適当にフォーマット変換した後、通信モジュール９１１から電波に乗せて送信する（ＳＴＥＰ１３３）。
【００２９】
次に図２２は従来のアダプター装置の構成を示したものである。
【００３０】
図２２において１０００はアダプターで、ＰＣなどの通信装置と携帯型電話装置との間に接続するアダプターである。１００７はマイコンで、アダプター１０００の各要素部に対し後述する制御を行う。１００２はＰＣ接続コネクタで、ＰＣやＰＣと接続するためのケーブルを接続するコネクタである。１０１１は携帯電話接続コネクタで、携帯型電話装置や携帯型電話装置との間に接続するケーブルを接続するためのコネクタである。
【００３１】
１００６はコマンド処理部で、ＰＣ接続コネクタ１００２に接続されるＰＣとマイコン１００７の間でコマンドの送受信や応答などのコマンドの処理を行う。１００８は携帯コマンド処理部で、携帯電話接続コネクタ１００２に接続される携帯型電話装置とマイコン１００７の間でコマンドの送受信や応答などのコマンドの処理を行う。１００９は通信手順処理部で、コネクタ１００２に接続されるＰＣからの送信データを受信して、フォーマット変換や通信手順変換などの処理を行い携帯型電話装置に出力する。
【００３２】
１０１０はＡＣ−ＤＣコンバータでＡＣコンセントに接続されるプラグからＡＣ電源を入力し携帯型電話装置を充電するためのＤＣ電源に変換して携帯電話Ａ１０１２に出力する。
【００３３】
次に図２３も用いて従来のアダプター装置のデータ転送動作の説明を行う。携帯電話接続コネクタ１０１１に携帯電話Ａ１０１２が接続されているとする。アダプター１０００はＰＣなどの通信装置に接続されると、通信装置が通信手順や送信先をユーザーに提示するために必要な携帯電話接続コネクタ１０１１に接続されている携帯型電話機Ａ１０１２の種別情報や識別情報を取得するための要求コマンドをコマンド処理部１００６で受信後、マイコン１００７の制御により携帯コマンド処理部１００８を用いて携帯電話Ａ１０１２が対応しているコマンドに作り直して携帯電話Ａ１０１２に送信する。
【００３４】
その後携帯電話Ａ１０１２より受信する応答コマンドを携帯コマンド処理部１００８が受信し、マイコン１００７の制御によりコマンド処理部１００６を用いてＰＣ１００１が対応しているコマンドに作り直してＰＣ１００１に送信する。（ＳＴＥＰ１４１）。その後送信待機状態となる（ＳＴＥＰ１４２）。ＰＣ１００１から送信要求があれば、送信するデータが送られてくるので、通信手順処理部９０７で受信し適当にフォーマット変換や通信手順変換した後、携帯電話Ａ１０１２に送信する（ＳＴＥＰ１４３）。
【００３５】
なお、アダプター装置で、コマンド処理部１００６、マイコン１００７、携帯コマンド処理部１００８、通信手順処理部１００９を備えず、コマンドや通信手順の変換を行わないものもある。
【００３６】
また、特開２０００−２８６９９３のような従来例もある。
【００３７】
【発明が解決しようとする課題】
しかしながら上記のような構成では、デジタル放送受信機の従来例においては、視聴履歴情報送信のための通信装置を内蔵モデム以外に選択できないため、公衆電話回線の通信会社と契約していないユーザーに対しては、視聴履歴情報を送信できないという問題が生じていた。また、携帯型電話機を所有し携帯型電話通信会社と契約しているユーザーが、所有する携帯型電話機を用いて視聴履歴情報を送信する事ができないという問題が生じていた。
【００３８】
ＰＣの従来例においては、アダプタなどを用いて携帯型電話機を外部端子に接続して、電子メールの送信などを内蔵モデムまたは携帯型電話機どちらでも可能であるが、送信要求が発生した場合、外部端子に接続している複数台の携帯型電話機の識別情報を取得して使用優先順位に応じて送信先を適当に設定できないため、携帯型電話機の接続や取り外すたびにユーザーが送信に使用する通信装置を選択する手間が発生するという問題が発生していた。
【００３９】
また、デジタル放送における視聴履歴情報の送信のようなユーザーの意志で送信日時が設定できない送信要求においては、送信要求が発生する日時に携帯型電話機を接続しているとは限らず、携帯型電話機のみしか契約していないユーザーは、送信できない場合が有るという問題が発生していた。また、そのような送信要求が発生する予定日時をユーザーに提示する事ができなかったため、ユーザーに送信要求が発生する日時に携帯型電話機を接続するよう注意を促す事ができなかった。
【００４０】
また、そのような送信要求が発生する予定日時情報や予定送信データを外部端子に接続されている携帯型電話機やアダプターに適当に送信する事ができなかったため、接続されていない携帯型電話機から送信させるための情報を提供する事や、アダプターや携帯型電話機で送信要求が発生する日時に携帯型電話機を接続するようユーザーに注意を促すための情報を提供する事ができないという問題が発生していた。
【００４１】
携帯型通信装置の従来例では、接続されるＰＣなどの通信装置の予定送信データまたは予定送信日時データを受信して記憶する事ができないため、デジタル放送における視聴履歴情報の送信のようなユーザーの意志で送信日時が設定できない送信要求において、送信要求が発生する日時にＰＣなどの通信装置を接続していない場合、自ら送信要求を発生して送信データを送信できないという問題やＰＣなどの通信装置を接続するようユーザーに注意を促すことができないという問題が発生していた。
【００４２】
アダプター装置の従来例では、接続されるＰＣなどの通信装置の予定送信日時データを受信して記憶する事ができないため、デジタル放送における視聴履歴情報の送信のようなユーザーの意志で送信日時が設定できない送信要求において、送信要求が発生する日時に携帯型通信装置を接続するようユーザーに注意を促すことができないという問題が発生していた。
【００４３】
また、特開２０００−２８６９９３では、接続される装置の識別情報の取得や記憶ができないため、同じ回線を使用する複数の通信装置間においては優先順位の設定ができないという問題が発生していた。またデジタル放送における視聴履歴情報の送信のようなユーザーの意志で送信日時が設定できない送信要求においては、送信要求が発生する日時に携帯型電話機を接続しているとは限らず、携帯型電話機のみしか契約していないユーザーは、送信できない場合が有るという問題が発生していた。
【００４４】
また、そのような送信要求が発生する予定日時をユーザーに提示する事ができなかったため、ユーザーに送信要求が発生する日時に携帯型電話機を接続するよう注意を促す事ができなかった。また、そのような送信要求が発生する予定日時情報や予定送信データを外部端子に接続されている携帯型電話機やアダプターに適当に送信する事ができなかったため、接続されていない携帯型電話機から送信させるための情報を提供する事や、アダプターや携帯型電話機で送信要求が発生する日時に携帯型電話機を接続するようユーザーに注意を促すための情報を提供する事ができないという問題が発生していた。
【００４５】
本発明は上記従来の問題点を解決する通信装置ならびに携帯型通信装置ならびにアダプター装置を提供することを目的とする。
【００４６】
【課題を解決するための手段】
第１の発明（請求項１に対応）は、外部端子に接続されている装置の少なくとも種別情報や識別情報を取得する装置情報取得手段と、少なくとも前記装置情報取得手段で取得した前記情報を記憶する装置情報記憶手段と、送信要求が発生した場合の送信情報送信先を記憶する送信先記憶手段と、前記装置情報記憶手段に記憶されている装置をユーザーに提示する装置提示手段と、提示された装置の使用優先順位をユーザーが設定する設定手段と、ユーザーが設定した使用優先順位を記憶する優先順位記憶手段と、送信要求が発生する予定日時を示す情報を記憶する送信日時記憶手段と、前記優先順位記憶手段で記憶している通信装置の使用優先順位と前記装置情報取得手段で取得する種別情報や識別情報に応じて前記送信情報送信先を送信先記憶手段に記憶し、前記送信日時記憶手段に記憶されている送信予定日時情報を前記送信情報送信先であって外部端子に接続されている装置に出力する制御手段とを備えるを特徴とする通信装置である。
【００４９】
第２の発明（請求項２に対応）は、前記送信日時記憶手段に記憶している前記予定日時をユーザーに提示する送信日時提示手段とを備えることを特徴とする通信装置である。
【００５０】
第３の発明（請求項３に対応）は、前記送信日時記憶手段に記憶されている予定日時に発生する送信要求で送信予定である予定送信情報を記憶する予定送信情報記憶手段を備え、前記制御手段は、前記予定日時以前においても前記予定送信情報記憶手段に記憶されている予定送信情報を前記送信情報送信先であって外部端子に接続されている装置に出力することを特徴とする通信装置である。
【００５１】
第４の発明（請求項４に対応）は、前記使用優先順位の設定は装置情報記憶手段に記憶されている通信装置の無効を設定する設定手段を備えることを特徴とする通信装置である。
【００５４】
第５の発明（請求項５に対応）は、前記通信装置はデジタル放送受信機であり前記送信要求は視聴履歴情報送信要求であり前記予定日時は視聴履歴情報送信予定日時であることを特徴とするデジタル放送受信機である。
【００５５】
第６の発明（請求項６に対応）は、前記通信装置はデジタル放送受信機であり前記送信要求は視聴履歴情報送信要求であり前記予定日時は視聴履歴情報送信予定日時であり前記予定送信情報は視聴履歴情報であることを特徴とするデジタル放送受信機である。
【００５６】
【発明の実施の形態】
本発明の通信装置ならびにデジタル放送受信装置ならびに携帯型通信装置ならびにアダプター装置の実施の形態について図面を参照し説明する。
【００５７】
（実施の形態１）
以下本発明の第１の実施例を図面を参照しながら説明する。
【００５８】
図１は本発明の請求項２記載の通信装置の一例であるデジタル放送受信機の構成を示すものである。
【００５９】
図１において１００はデジタル放送受信機である。１０１はチューナーで、アンテナで受信したデジタル放送信号を入力し選局して出力する。１０２はトランスポートデコーダーで、チューナー１０１からの出力信号を入力し所望のパケットをフィルタリングして出力する。
【００６０】
１０３はＡＶデコーダーで、トランスポートデコーダー１０２の出力するＡＶデータのパケットを入力しＡＶデコードして出力する。１２１はリモコンで、ユーザーがデジタル放送受信機１００の操作を行うためのユーザーインターフェースである。１２２は受光回路で、リモコン１２１が出力する光信号を受信し電気信号に変換した後マイコン１０７に送信する。
【００６１】
１０４は送信日時ＲＡＭで、トランスポートデコーダー１０２でフィルタリングされる受信機個別情報パケット（以下ＥＭＭパケットと略す）にマッピングされている視聴履歴情報アップロード日時を示すデータを記憶する。
【００６２】
１０５は予定送信データＲＡＭで、ユーザーが有料放送を視聴した履歴情報等の視聴履歴情報をマイコン１０７の制御で記憶する。１１０は通信装置情報ＲＡＭで、接続されている通信装置の種別やメーカーなどのデータをマイコン１０７の制御で記憶するメモリーである。
【００６３】
１２３は送信先ＲＡＭで、送信要求が発生した場合に送信データＲＡＭに記憶されているデーターを送信するために使用する通信装置を示すデータをマイコン１０７の制御で記憶するメモリーである。１０６は優先順位ＲＡＭで、通信装置情報ＲＡＭ１１０に記憶されている装置の中の使用優先順位をマイコン１０７の制御で記憶するメモリーである。
【００６４】
１２０はＯＳＤコントローラで、マイコン１０７の制御でウィンドウ表示などを表示するための描画データの生成を行う。１１５は携帯電話Ａで、データ通信機能を備えている携帯型電話機である。１１４はアダプターで、携帯電話Ａ１１５の充電と、デジタル放送受信機１００と携帯電話Ａ１１５との間の通信手順変換を行う。
【００６５】
１１３はアダプタ１１４を接続するコネクタである。１１８は携帯電話Ｂで、データ通信機能を備えている携帯型電話機である。１１７は接続ケーブルで、デジタル放送受信機１００と携帯電話Ｂ１１８との接続を行うためのケーブルである。携帯電話Ｂ１１８はデジタル放送受信機１００と通信手順が同じであるため、携帯電話Ａの場合のようにアダプタ１１４は必要としていない例である。
【００６６】
また携帯電話Ｂ１１８の充電については図示しない充電器で充電されるものとする。１１６はケーブル１１７を接続するコネクタである。１０８は携帯電話コマンド処理部で、マイコン１０７とコネクタ１１３やコネクタ１１６に接続する携帯型電話機間のコマンドの送受信処理やデータ送受信処理や通信手順の処理を行う。
【００６７】
一般的にはＵＳＢインターフェースやＩＥＥＥ１３９４インターフェースを用いて実現可能である。１０９は挿抜検出部で、コネクタ１１３やコネクタ１１６に接続される装置の抜き差しを検出しその結果をマイコン１０７に出力する。ＵＳＢインターフェースやＰＣＭＣＩＡインターフェースやＩＥＥＥ１３９４インターフェースを用いて実現可能である。１１２は内蔵モデムで公衆電話回線を介してデータ通信するモデムである。
【００６８】
１１１はモデムコマンド処理部で、マイコン１０７と内蔵モデム１１２間のコマンドの送受信処理やデータ送受信処理や通信手順の処理を行う。一般的にはＵＡＲＴが多く用いられる。１０７はマイコンで、デジタル放送受信機１００の各要素ブロックの制御を行う。
【００６９】
なおパケットやデータのやり取りには図示していないＲＡＭを介して行う場合もあるが、本実施例と直接関わらないので省略した。また、コネクタ１１３やコネクタ１１６の数は２つでなくても良くまたそれらの形状も異なっていても同じでも良い。
【００７０】
また、それらのコネクタに接続される通信装置の対応通信手順については限定するものでなく、デジタル放送受信機１００がそららの通信手順に対応しても良く通信手順アダプターを介して接続しても良い。また、本実施例では、デジタル放送受信機の視聴履歴情報のようなユーザーの意志に関わらず予定送信日時に自動的に送信以外の電子メールのようなユーザーの意志で送信する場合においては、送信日時ＲＡＭ１０４は無い場合もあり得る。
【００７１】
加えてデジタル放送受信機能が無く単に電子メールなどの送信をするＰＣのような通信装置であれば、チューナー１０１やトランスポートデコーダー１０２や送信日時ＲＡＭ１０４は無い場合もある。
【００７２】
次に視聴履歴情報送信動作について図２と図３を用いて説明する。一般的にユーザーの意志に関わらずＥＭＭパケットは放送局等から送信されるので、視聴履歴情報アップロード日時はＥＭＭパケットを受信したタイミングで送信日時ＲＡＭ１０４に書き込まれる。
【００７３】
デジタル放送受信機１００の外部端子には携帯電話Ｂ１１８のみが接続されているとする。通信装置情報ＲＡＭ１１０には内蔵モデム１１２と携帯電話Ｂ１１８の情報が記憶されており、優先順位ＲＡＭには以前ユーザーが設定した内蔵モデム１１２が一番で携帯電話Ｂ１１８が二番を示す情報が記憶されており、送信先ＲＡＭには後述する決定方法で決定された内蔵モデムを示す情報が記憶されている。
【００７４】
その状態でユーザーが携帯電話Ａ１１５を接続したアダプター１１４をコネクタ１１３に接続すると、挿抜検出部１０９は挿入を検出しその結果をマイコン１０７に伝える（ＳＴＥＰ１）。マイコン１０７は携帯電話コマンド処理部１０８を用いて、コネクタ１１３とコネクタ１１６に接続されている装置の種別やメーカなどのデータを取得する要求コマンドを送信しその応答コマンドを受信して接続されている装置の情報を取得する。
【００７５】
これらのコマンドはＵＳＢやＩＥＥＥ１３９４の規格で規定されているコマンドセットを用いることで実現可能である。取得情報と通信装置情報ＲＡＭ１１０に記憶されている情報を参照し、新たな携帯電話Ａ１１５が接続されていることを認識する（ＳＴＥＰ２）。その後通信装置情報ＲＡＭ１１０に携帯電話Ａ１１５の情報を追加し記憶する（ＳＴＥＰ３）。
【００７６】
マイコン１０７は新たな装置が接続されていることを認識したため、通信装置情報ＲＡＭ１１０に記憶されている装置情報を読み出し、その情報を参照してメーカー名や機種名などのリストとして描画するようＯＳＤコントローラ１２０を制御する（ＳＴＥＰ４）。ＯＳＤコントローラの制御でデジタル放送受信機１００に接続されているテレビの画面に表示されたリストをユーザーが見て、その中から使用優先順位を携帯電話Ａ１１５が一番、内蔵モデム１１２が二番、携帯電話Ｂ１１８が三番にするようリモコン１２１を操作して指示したとする。
【００７７】
使用優先順位の設定はリスト上でリモコン１２１の方向キーの操作でカーソルを移動させた後、決定キーで選択した装置の順番と使用優先順位を関連付けたり、数字キーと使用優先順位を関連付けることで実現可能である（ＳＴＥＰ５）。マイコン１０７はその指示を認識し優先順位ＲＡＭ１０６に記憶されている内容を認識した内容に更新する（ＳＴＥＰ６）。
【００７８】
マイコン１０７は送信する要求が発生した時に使用する通信装置をＳＴＥＰ３で取得して認識した外部端子に接続されている装置と内蔵モデム１１２の中で最も優先順位の高い携帯電話Ａ１１５に設定し、送信先ＲＡＭ１２３に記憶されている情報を携帯電話Ａ１１５に更新する（ＳＴＥＰ７）。なお装置情報を取得するのはＳＴＥＰ３ではなく改めてＳＴＥＰ７で取得しても良い。
【００７９】
その状態でデジタル放送受信機１００は送信待機する。その後ユーザーの視聴に応じて予定送信データＲＡＭ１０５に記憶されている視聴履歴情報は更新される（ＳＴＥＰ８）。なおＳＴＥＰ１において外部端子の挿抜が検出しなかった時は、送信待機を維持する。
【００８０】
マイコン１０７は放送局などから送信される時刻情報を参照するか、図示していない時計を参照して送信日時ＲＡＭ１０４に記憶されている日時になれば送信要求を発生させ（ＳＴＥＰ９）、予定送信データＲＡＭ１０５に記憶されている視聴履歴情報を読み出して、送信先ＲＡＭ１２３に記憶されている送信先に視聴履歴情報を送信するよう制御する（ＳＴＥＰ１０）。
【００８１】
例えば携帯電話Ａ１１５を接続しなかった場合は、スタート時の送信先ＲＡＭ１２３に記憶されている内蔵モデム１１２を用いて送信するよう制御する。携帯電話Ａ１１５を接続して使用優先順位を携帯電話Ａ１１５が一番、内蔵モデム１１２が二番、携帯電話Ｂ１１８が三番になるよう設定してあれば、内蔵モデムや外部端子に接続されている装置の中で一番優先順位の高い携帯電話Ａ１１５を用いて送信するように制御する。
【００８２】
また、そのような設定の状態で最も優先順位の高い携帯電話Ａ１１５を外部端子から外した場合を図３を用いて説明する。送信待機の状態で携帯電話Ａ１１５の抜き取り検出後（ＳＴＥＰ１２）、マイコン１０７は携帯電話コマンド処理部１０８を用いて、コネクタ１１３とコネクタ１１６に接続されている装置の種別やメーカなどのデータを取得する。
【００８３】
マイコン１０７は新たな装置が接続されたことを認識しないため装置情報ＲＡＭ１１０の更新や装置のリストを描画する制御や優先順位ＲＡＭ１０６の更新を行わず、データを送信する要求が発生した時に使用する通信装置を、装置情報を取得した外部端子に接続されている装置と内蔵モデム１１２の中で最も優先順位の高い内蔵モデム１１２に設定し、送信先ＲＡＭに記憶されている情報を内蔵モデム１１２に更新する（ＳＴＥＰ１４）。
【００８４】
その状態でデジタル放送受信機１００は送信待機する。その後ユーザーの視聴に応じて予定送信データＲＡＭ１０５に記憶されている視聴履歴情報は更新される（ＳＴＥＰ１５）。なおＳＴＥＰ１２において外部端子の挿抜が検出しなかった時は、送信待機を維持する。
【００８５】
マイコン１０７は放送局などから送信される時刻情報を参照するか、図示していない時計を参照して送信日時ＲＡＭ１０４に記憶されている日時になれば送信要求を発生させ（ＳＴＥＰ１６）、予定送信データＲＡＭ１０５に記憶されている視聴履歴情報を読み出して、送信先ＲＡＭ１２３に記憶されている送信先に視聴履歴情報を送信するよう制御する（ＳＴＥＰ１７）。
【００８６】
このように外部端子に接続される装置の挿抜検出後、取得する種別情報や識別情報とユーザーが設定する使用優先順位情報を参考にして、内蔵や外部端子に接続されている装置の中で最も使用優先順位の高い装置を送信先に設定することと、新たな装置を認識した場合は記憶している装置情報の内容を更新するとともに装置情報を提示してユーザーが設定する使用優先順位に使用優先順位情報の内容を更新することにより、視聴履歴情報送信のための通信装置を内蔵モデム以外に選択できないため公衆電話回線の通信会社と契約していないユーザーに対しては、視聴履歴情報を送信できないという問題や、携帯型電話機を所有し携帯型電話通信会社と契約しているユーザーが、所有する携帯型電話機を用いて視聴履歴情報を送信する事ができないという問題が解決されている。
【００８７】
そして携帯型電話機の接続や取り外すたびにユーザーが送信に使用する通信装置を選択する手間が発生するという問題については、新たな通信装置が接続された時の使用優先順位の設定以外において解決されている。
【００８８】
そして接続される装置の識別情報の取得や記憶ができないため、同じ回線を使用する複数の通信装置間においては優先順位の設定ができないという問題を解決するものである。
【００８９】
（実施の形態２）
次に本発明の第２の実施例を図面を参照しながら説明する。
【００９０】
図４は本発明の請求項３そして請求項４そして請求項５そして請求項６そして請求項９記載の通信装置の一例であるデジタル放送受信機の構成を示すものである。
【００９１】
図４において２００はデジタル放送受信機である。２０１はチューナーで、アンテナで受信したデジタル放送信号を入力し選局して出力する。２０２はトランスポートデコーダーで、チューナー２０１からの出力信号を入力し所望のパケットをフィルタリングして出力する。
【００９２】
２０３はＡＶデコーダーで、トランスポートデコーダー２０２の出力するＡＶデータのパケットを入力しＡＶデコードして出力する。２２１はリモコンで、ユーザーがデジタル放送受信機２００の操作を行うためのユーザーインターフェースである。２２２は受光回路で、リモコン２２１が出力する光信号を受信し電気信号に変換した後マイコン２０７に送信する。
【００９３】
２０４は送信日時ＲＡＭで、トランスポートデコーダー２０２でフィルタリングされる受信機個別情報パケット（以下ＥＭＭパケットと略す）にマッピングされている視聴履歴情報アップロード日時を示すデータを記憶する。２０５は予定送信データＲＡＭで、ユーザーが有料放送を視聴した履歴情報等の視聴履歴情報をマイコン２０７の制御で記憶する。
【００９４】
２１０は通信装置情報ＲＡＭで、接続されている通信装置の種別やメーカーなどのデータをマイコン２０７の制御で記憶するメモリーである。２２３は送信先ＲＡＭで、送信要求が発生した場合に送信データＲＡＭに記憶されているデーターを送信するために使用する通信装置を示すデータをマイコン２０７の制御で記憶するメモリーである。２０６は優先順位ＲＡＭで、通信装置情報ＲＡＭ２１０に記憶されている装置の中の使用優先順位をマイコン２０７の制御で記憶するメモリーである。
【００９５】
２２０はＯＳＤコントローラで、マイコン２０７の制御でウィンドウ表示などを表示するための描画データの生成を行う。２１５は携帯電話Ａで、データ通信機能を備えている携帯型電話機である。２１４はアダプターで、携帯電話Ａ２１５の充電と、デジタル放送受信機２００と携帯電話Ａ２１５との間の通信手順変換を行う。
【００９６】
２１３はアダプタ２１４を接続するコネクタである。２１６はその他の装置を外部接続するコネクタである。２０８は携帯電話コマンド処理部で、マイコン２０７とコネクタ２１３やコネクタ２１６に接続する携帯型電話機間のコマンドの送受信処理やデータ送受信処理や通信手順の処理を行う。
【００９７】
２０９は挿抜検出部で、コネクタ２１３やコネクタ２１６に接続される装置の抜き差しを検出しその結果をマイコン２０７に出力する。ＵＳＢインターフェースやＰＣＭＣＩＡインターフェースやＩＥＥＥ１３９４インターフェースを用いて実現可能である。
【００９８】
２１２は内蔵モデムで公衆電話回線を介してデータ通信するモデムである。２１１はモデムコマンド処理部で、マイコン２０７と内蔵モデム２１２間のコマンドの送受信処理やデータ送受信処理や通信手順の処理を行う。一般的にはＵＡＲＴが多く用いられる。２０７はマイコンで、デジタル放送受信機２００の各要素ブロックの制御を行う。
【００９９】
なおパケットやデータのやり取りには図示していないＲＡＭを介して行う場合もあるが、本実施例と直接関わらないので省略した。また、コネクタ２１３やコネクタ２１６の数は２つでなくても良くまたそれらの形状も異なっていても同じでも良い。
【０１００】
また、それらのコネクタに接続される通信装置の対応通信手順については限定するものでなく、デジタル放送受信機２００がそららの通信手順に対応しても良く通信手順アダプターを介して接続しても良い。
【０１０１】
次に視聴履歴情報送信動作について図６と図７を用いて説明する。一般的にユーザーの意志に関わらずＥＭＭパケットは放送局等から送信されるので、視聴履歴情報アップロード日時はＥＭＭパケットを受信したタイミングで送信日時ＲＡＭ２０４に書き込まれる。
【０１０２】
デジタル放送受信機２００の外部端子には何も接続されていないとする。通信装置情報ＲＡＭ２１０には内蔵モデム２１２と携帯電話Ｂ２１８の情報が記憶されており、優先順位ＲＡＭには以前ユーザーが設定したオフ機器は特に無い事を示す情報が記憶されており、送信先ＲＡＭには後述する決定方法で決定された内蔵モデムを示す情報が記憶されている。
【０１０３】
その状態でユーザーが携帯電話Ａ２１５を接続したアダプター２１４をコネクタ２１３に接続すると、挿抜検出部２０９は挿入を検出しその結果をマイコン２０７に伝える（ＳＴＥＰ２１）。マイコン２０７は携帯電話コマンド処理部２０８を用いて、コネクタ２１３とコネクタ２１６に接続されている装置の種別やメーカなどのデータを取得する。取得情報と通信装置情報ＲＡＭ２１０に記憶されている情報を参照し、新たな携帯電話Ａ２１５が接続されていることを認識する（ＳＴＥＰ２２）。
【０１０４】
その後通信装置情報ＲＡＭ２１０に携帯電話Ａ２１５の情報を追加し記憶する（ＳＴＥＰ２３）。マイコン２０７は新たな装置が接続されていることを認識したため、通信装置情報ＲＡＭ２１０に記憶されている装置情報を読み出し、その情報を参照してリストとして描画するようＯＳＤコントローラ２２０を制御する（ＳＴＥＰ２４）。
【０１０５】
ＯＳＤコントローラの制御でデジタル放送受信機２００に接続されているテレビの画面に表示されたリストをユーザーが見て、その中から内蔵モデム２１２をオフにするようリモコン１２１を操作して指示したとする。オフの設定はリスト上でリモコン２２１の方向キーの操作でカーソルを移動させた後、決定キーで選択した装置とオフする優先順位を関連付けることや数字キーとオフする優先順位を関連付けることで実現可能である（ＳＴＥＰ２５）。
【０１０６】
マイコン２０７はその指示を認識し優先順位ＲＡＭ２０６に記憶されている内容を認識した内容に更新する（ＳＴＥＰ２６）。マイコン２０７は送信する要求が発生した時に使用する通信装置をＳＴＥＰ２３で取得して認識した外部端子に接続されている装置と内蔵モデム２１２の中で最もオフする優先順位の低い携帯電話Ａ２１５に設定し、送信先ＲＡＭ２２３に記憶されている情報を携帯電話Ａ２１５に更新する。
【０１０７】
ここで言う優先順位が高いということは、オフする優先順位が低いという意味である（ＳＴＥＰ２７）。なお装置情報を取得するのはＳＴＥＰ２３ではなく改めてＳＴＥＰ２７で取得しても良い。その後マイコン２０７は、送信先ＲＡＭ２２３に記憶されている送信先が外部端子に接続されている携帯型通信装置であるため、送信日時ＲＡＭ２０４に記憶されている視聴履歴情報アップロード日時を示すデータを読み出して、携帯電話コマンド処理部２０８を用いて送信先である携帯電話Ａ２１５に送信する（ＳＴＥＰ２８）。
【０１０８】
また予定送信データＲＡＭ２０５に記憶されている視聴履歴情報を読み出して携帯電話コマンド処理部２０８を用いて送信先である携帯電話Ａ２１５に送信する（ＳＴＥＰ２９）。これらの送信順序は問わない。その状態でデジタル放送受信機１００は送信待機する。送信待機中その後ユーザーの視聴に応じて予定送信データＲＡＭ１０５に記憶されている視聴履歴情報は更新されるがその度に視聴履歴情報や視聴履歴情報アップロード日時データは最新の情報を送信しても良いし定期的に送信するようにしても良い。
【０１０９】
また待機中マイコン２０７は送信日時ＲＡＭ２０４に記憶されている予定送信日時情報を読み出してＯＳＤコントローラ２２０を用いてテレビの画面に表示する場合もある（ＳＴＥＰ３０）。なおＳＴＥＰ２１において外部端子の挿抜が検出しなかった時は、送信待機を維持する。
【０１１０】
マイコン２０７は放送局などから送信される時刻情報を参照するか、図示していない時計を参照して送信日時ＲＡＭ２０４に記憶されている日時になれば送信要求を発生させ（ＳＴＥＰ３１）、予定送信データＲＡＭ２０５に記憶されている視聴履歴情報を読み出して、送信先ＲＡＭ２２３に記憶されている送信先情報に応じて視聴履歴情報を送信する（ＳＴＥＰ３２）。
【０１１１】
例えば携帯電話Ａ２１５を接続しなかった場合は、スタート時は外部端子に何も接続されておらず内蔵モデムもオフ設定されていなかったために、送信先ＲＡＭ２２３に記憶されている内蔵モデム２１２を用いて送信するよう制御する。携帯電話Ａ２１５を接続して使用優先順位を内蔵モデム２１２がオフになるよう設定してあれば、内蔵モデムや外部端子に接続されている装置の中で一番優先順位の高い携帯電話Ａ２１５を用いて送信するように制御する。
【０１１２】
また、そのような設定の状態で最も優先順位の高い携帯電話Ａ２１５を外部端子から外した場合を図７を用いて説明する。送信待機の状態で携帯電話Ａ２１５の抜き取り検出後（ＳＴＥＰ３３）、マイコン２０７は携帯電話コマンド処理部２０８を用いて、コネクタ２１３とコネクタ２１６に接続されている装置の種別やメーカなどのデータを取得する。
【０１１３】
マイコン２０７は新たな装置が接続されたことを認識しないため装置情報ＲＡＭ２１０の更新や装置のリストを描画する制御や優先順位ＲＡＭ２０６の更新を行わない。そしてデータを送信する要求が発生した時に使用する通信装置を、装置情報を取得した外部端子に接続されている装置が無く内蔵モデム２１２もオフに設定されていることより設定あるいは更新せず、送信先ＲＡＭに記憶されている情報を、送信先無しを示す内容に更新する（ＳＴＥＰ３５）。
【０１１４】
その状態でデジタル放送受信機２００は送信待機する。その後ユーザーの視聴に応じて予定送信データＲＡＭ２０５に記憶されている視聴履歴情報は更新される（ＳＴＥＰ３６）。なおＳＴＥＰ３３において外部端子の挿抜が検出しなかった時は、送信待機を維持する。マイコン２０７は放送局などから送信される時刻情報を参照するか、図示していない時計を参照して送信日時ＲＡＭ２０４に記憶されている日時になれば送信要求を発生させるが（ＳＴＥＰ３７）、予定送信データＲＡＭ２０５に記憶されている視聴履歴情報が送信先無しを示す情報であることを認識し、送信先ＲＡＭ２２３に記憶されている送信先に視聴履歴情報を送信しないよう制御する（ＳＴＥＰ３８）。
【０１１５】
その後携帯電話Ａが接続された事をマイコン２０７が認識した場合、以前に送信していた予定送信データＲＡＭ２０５に記憶されていた視聴履歴情報の送信が完了したことを携帯電話コマンド処理部を用いて確認することも可能である。
このように外部端子に接続される装置の挿抜検出後、取得する種別情報や識別情報とユーザーが設定する使用優先順位情報を参考にして、内蔵や外部端子に接続されている装置の中で最も使用優先順位の高い装置を送信先に設定することと、新たな装置を認識した場合は記憶している装置情報の内容を更新するとともに装置情報を提示してユーザーが設定する使用優先順位に使用優先順位情報の内容を更新することと、予定送信日時または予定送信データを送信先であって外部端子に接続されている装置に予め送信しておくことにより、実施例１で解決した問題に加えて、デジタル放送における視聴履歴情報の送信のようなユーザーの意志で送信日時が設定できない送信要求においては、送信要求が発生する日時に携帯型電話装置を接続しているとは限らず、そのような送信要求が発生する予定日時をユーザーに提示する事ができなかったため、ユーザーに送信要求が発生する日時に携帯型電話機を接続するよう注意を促す事ができないという問題と、そのような送信要求が発生する予定日時情報や予定送信データを外部端子に接続されている携帯型電話機に適当に送信する事ができなかったため、接続されていない携帯型電話装置から送信させるための情報を提供する事や、携帯型電話装置で送信要求が発生する日時に携帯型電話装置を接続するようユーザーに注意を促すための情報を提供する事ができないという問題を解決するものである。
【０１１６】
（実施の形態３）
次に本発明の第３の実施例を図面を参照しながら説明する。
図５は本発明の請求項７そして請求項８記載の携帯型通信装置の構成を示すものである。
【０１１７】
本実施例の携帯型通信装置は実施の形態２で示した通信装置２００に接続するものである。
【０１１８】
図５において３００は携帯型電話機である。３０９はマイコンで、携帯型電話機３００の各要素部に対し後述する制御を行う。３０１はコネクタで、実施の形態２で示した通信装置２００や通信装置２００との間に接続するアダプターまたはケーブルを接続するためのコネクタである。
【０１１９】
３０６はコマンド処理部で、コネクタ３０１に接続される通信装置２００とマイコン３０９の間でコマンドの送受信や応答などの処理を行う。３０７は送信データ処理部で、コネクタ３０１に接続される通信装置２００からの送信データを受信して、フォーマット変換などの処理を行い後述する通信モジュール３１１に出力する。
【０１２０】
３１２は時計で、日時を示す情報をマイコン３０９に出力する。３１１は通信モジュールで、送信データ処理部３０７からの送信データを入力し、電波に乗せるための変調処理などを行う。３０８は送信データＲＡＭで、コネクタ３０１に接続される通信装置２００より受信する視聴履歴情報などの予定送信データを記憶するメモリーである。
【０１２１】
３１０は送信日時ＲＡＭで、コネクタ３０１に接続される通信装置２００より受信する視聴履歴情報アップロード日時を示すデータなどの予定送信日時を記憶するメモリーである。３０５はＬＣＤコントローラでマイコン３０９の出力する描画データをＬＣＤパネル３０４に表示するための画素変換などを行う。
【０１２２】
他にバッテリー３０３やキーボード３０２などの要素があるが、本発明における実施例の説明には直接関わらないので、接続の図示や説明を省略する。次に図８も用いて本実施例の携帯型電話機のデータ送信動作の説明を行う。携帯型電話機３００は実施の形態２で示した通信装置２００に接続されると、通信装置２００が送信する通信手順や送信先をユーザーに提示するために必要な種別情報や識別情報を取得するための要求コマンドをコマンド処理部３０７で受信後、マイコン３０９の制御でそれらの情報を通信装置２００に応答コマンド化して送信する（ＳＴＥＰ４１）。
【０１２３】
その後実施の形態２で示した通信装置２００が送信する視聴履歴情報アップロード日時を示すデータをコマンド処理部３０７で受信後、マイコン３０７で予定送信日時を認識し送信日時ＲＡＭ３１０に記憶する（ＳＴＥＰ４２）。また後実施の形態２で示した通信装置２００が送信する視聴履歴情報をコマンド処理部３０７で受信後、マイコン３０７で視聴履歴情報を認識し送信データＲＡＭ３０８に記憶する。これらの受信処理の順番は、受信する順番に依存する。
【０１２４】
その後送信待機状態となる。待機中マイコン３０７は通信装置から視聴履歴情報アップロード日時を示すデータや視聴履歴情報が再送された場合は、その都度ＳＴＥＰ４２やＳＴＥＰ４３と同様に受信して対応するメモリーの内容を更新する。また送信日時ＲＡＭ３１０に記憶されている予定送信日時情報を読み出してＬＣＤコントローラ３０５を用いてＬＣＤパネル３０４に予定送信日時を表示する場合もある（ＳＴＥＰ４４）。
【０１２５】
マイコン３０７は時計３１２の出力する日時データをモニターし、送信日時ＲＡＭ３１０に記憶されている予定送信日時において、通信装置から送信要求があれば、その後送信するデータが送られてくるので、送信データ処理部３０７で受信し適当にフォーマット変換した後、通信モジュール３１１から電波に乗せて送信する（ＳＴＥＰ４５）。
【０１２６】
一方予定送信日時において、通信装置と接続されていない時のように通信装置から送信要求が無い場合は、マイコン３０７自ら送信要求を発生させて、送信データＲＡＭ３０８に記憶されている予定送信データを読み出した後、送信データ処理部を用いて適当にフォーマット変換し、通信モジュール３１１から電波に乗せて送信する（ＳＴＥＰ４６）。
【０１２７】
その後通信装置２００から視聴履歴情報を送信完了したことを確認するコマンドが送信されてきた場合、マイコン３０９はコマンド処理部３０６を用いて応答することもできる。
【０１２８】
このように、通信装置から送信される予定送信データや予定送信日時データを受信し記憶させ、予定送信日時を表示することや、予定送信日時に通信装置から送信要求が無かった場合自ら送信要求を発生させ記憶している予定送信データを送信することにより、デジタル放送における視聴履歴情報の送信のようなユーザーの意志で送信日時が設定できない送信要求において、送信要求が発生する日時に通信装置を接続していない場合、自ら送信要求を発生して送信データを送信できないという問題や通信装置を接続するようユーザーに注意を促すことができないという問題を解決するものである。
【０１２９】
（実施の形態４）
以下本発明の第４の実施例を図面を参照しながら説明する。
【０１３０】
図９は本発明の請求項３そして請求項９記載の通信装置の一例であるデジタル放送受信機の構成を示すものである。
【０１３１】
図９において４００はデジタル放送受信機である。４０１はチューナーで、アンテナで受信したデジタル放送信号を入力し選局して出力する。４０２はトランスポートデコーダーで、チューナー４０１からの出力信号を入力し所望のパケットをフィルタリングして出力する。
【０１３２】
４０３はＡＶデコーダーで、トランスポートデコーダー４０２の出力するＡＶデータのパケットを入力しＡＶデコードして出力する。４２１はリモコンで、ユーザーがデジタル放送受信機４００の操作を行うためのユーザーインターフェースである。４２２は受光回路で、リモコン４２１が出力する光信号を受信し電気信号に変換した後マイコン４０７に送信する。
【０１３３】
４０４は送信日時ＲＡＭで、トランスポートデコーダー４０２でフィルタリングされる受信機個別情報パケット（以下ＥＭＭパケットと略す）にマッピングされている視聴履歴情報アップロード日時を示すデータを記憶する。４０５は予定送信データＲＡＭで、ユーザーが有料放送を視聴した履歴情報等の視聴履歴情報をマイコン４０７の制御で記憶する。
【０１３４】
４１０は通信装置情報ＲＡＭで、接続されている通信装置の種別やメーカーなどのデータをマイコン４０７の制御で記憶するメモリーである。４２３は送信先ＲＡＭで、送信要求が発生した場合に送信データＲＡＭに記憶されているデーターを送信するために使用する通信装置を示すデータをマイコン４０７の制御で記憶するメモリーである。
【０１３５】
４０６は優先順位ＲＡＭで、通信装置情報ＲＡＭ４１０に記憶されている装置の中の使用優先順位をマイコン４０７の制御で記憶するメモリーである。４２０はＯＳＤコントローラで、マイコン４０７の制御でウィンドウ表示などを表示するための描画データの生成を行う。
【０１３６】
４１５は携帯電話Ａで、データ通信機能を備えている携帯型電話機である。４１４はアダプターで、携帯電話Ａ４１５の充電と、デジタル放送受信機４００と携帯電話Ａ４１５との間の通信手順変換を行う。４１３はアダプタ４１４を接続するコネクタである。４１８は携帯電話Ｂで、データ通信機能を備えている携帯型電話機である。
【０１３７】
４１７は接続ケーブルで、デジタル放送受信機４００と携帯電話Ｂ４１８との接続を行うためのケーブルである。携帯電話Ｂ４１８はデジタル放送受信機４００と通信手順が同じであるため、携帯電話Ａの場合のようにアダプタ４１４は必要としていない例である。
【０１３８】
また携帯電話Ｂ４１８の充電については図示しない充電器で充電されるものとする。４１６はケーブル４１７を接続するコネクタである。４０８は携帯電話コマンド処理部で、マイコン４０７とコネクタ４１３やコネクタ４１６に接続する携帯型電話機間のコマンドの送受信処理やデータ送受信処理や通信手順の処理を行う。
【０１３９】
４０９は挿抜検出部で、コネクタ４１３やコネクタ４１６に接続される装置の抜き差しを検出しその結果をマイコン４０７に出力する。ＵＳＢインターフェースやＰＣＭＣＩＡインターフェースやＩＥＥＥ１３９４インターフェースを用いて実現可能である。４１２は内蔵モデムで公衆電話回線を介してデータ通信するモデムである。
【０１４０】
４１１はモデムコマンド処理部で、マイコン４０７と内蔵モデム４１２間のコマンドの送受信処理やデータ送受信処理や通信手順の処理を行う。一般的にはＵＡＲＴが多く用いられる。４０７はマイコンで、デジタル放送受信機４００の各要素ブロックの制御を行う。なおパケットやデータのやり取りには図示していないＲＡＭを介して行う場合もあるが、本実施例と直接関わらないので省略した。また、コネクタ４１３やコネクタ４１６の数は２つでなくても良くまたそれらの形状も異なっていても同じでも良い。また、それらのコネクタに接続される通信装置の対応通信手順については限定するものでなく、デジタル放送受信機４００がそららの通信手順に対応しても良く通信手順アダプターを介して接続しても良い。
【０１４１】
次に視聴履歴情報送信動作について図１１を用いて説明する。一般的にユーザーの意志に関わらずＥＭＭパケットは放送局等から送信されるので、視聴履歴情報アップロード日時はＥＭＭパケットを受信したタイミングで送信日時ＲＡＭ４０４に書き込まれる。
【０１４２】
デジタル放送受信機４００の外部端子には携帯電話Ｂ４１８のみが接続されているとする。通信装置情報ＲＡＭ４１０には内蔵モデム４１２と携帯電話Ｂ４１８の情報が記憶されており、優先順位ＲＡＭには以前ユーザーが設定した内蔵モデム４１２が一番で携帯電話Ｂ４１８が二番を示す情報が記憶されており、送信先ＲＡＭには後述する決定方法で決定された内蔵モデムを示す情報が記憶されている。
【０１４３】
その状態でユーザーが携帯電話Ａ４１５を接続したアダプター４１４をコネクタ４１３に接続すると、挿抜検出部４０９は挿入を検出しその結果をマイコン４０７に伝える（ＳＴＥＰ５１）。マイコン４０７は携帯電話コマンド処理部４０８を用いて、コネクタ４１３とコネクタ４１６に接続されている装置の種別やメーカなどのデータを取得する。
【０１４４】
取得情報と通信装置情報ＲＡＭ４１０に記憶されている情報を参照し、新たな携帯電話Ａ４１５が接続されていることを認識する（ＳＴＥＰ５２）。その後通信装置情報ＲＡＭ４１０に携帯電話Ａ４１５の情報を追加し記憶する（ＳＴＥＰ５３）。マイコン４０７は新たな装置が接続されていることを認識したため、通信装置情報ＲＡＭ４１０に記憶されている装置情報を読み出し、その情報を参照してリストとして描画するようＯＳＤコントローラ４２０を制御する（ＳＴＥＰ５４）。
【０１４５】
ＯＳＤコントローラ４２０の制御でデジタル放送受信機４００に接続されているテレビの画面に表示されたリストをユーザーが見て、その中から使用優先順位を携帯電話Ａ４１５が一番、内蔵モデム４１２が二番、携帯電話Ｂ４１８が三番にするようリモコン４２１を操作して指示したとする（ＳＴＥＰ５５）。
【０１４６】
マイコン４０７はその指示を認識し優先順位ＲＡＭ４０６に記憶されている内容を認識した内容に更新する（ＳＴＥＰ５６）。マイコン４０７は送信する要求が発生した時に使用する通信装置をＳＴＥＰ５３で取得して認識した外部端子に接続されている装置と内蔵モデム４１２の中で最も優先順位の高い携帯電話Ａ４１５に設定し、送信先ＲＡＭ４２３に記憶されている情報を携帯電話Ａ４１５に更新する（ＳＴＥＰ５７）。
【０１４７】
なお装置情報を取得するのはＳＴＥＰ５３ではなく改めてＳＴＥＰ５７で取得しても良い。その後マイコン４０７は、送信先ＲＡＭ４２３に記憶されている送信先が外部端子に接続されている携帯型通信装置であるため、送信日時ＲＡＭ４０４に記憶されている視聴履歴情報アップロード日時を示すデータを読み出して、携帯電話コマンド処理部４０８を用いて送信先である携帯電話Ａ４１５に送信する（ＳＴＥＰ５８）。
【０１４８】
その状態でデジタル放送受信機４００は送信待機する。その後ユーザーの視聴に応じて予定送信データＲＡＭ４０５に記憶されている視聴履歴情報は更新される（ＳＴＥＰ５９）。なおＳＴＥＰ５１において外部端子の挿抜が検出しなかった時は、送信待機を維持する。
【０１４９】
マイコン４０７は放送局などから送信される時刻情報を参照するか、図示していない時計を参照して送信日時ＲＡＭ４０４に記憶されている日時になれば送信要求を発生させ（ＳＴＥＰ６０）、予定送信データＲＡＭ４０５に記憶されている視聴履歴情報を読み出して、送信先ＲＡＭ４２３に記憶されている送信先に視聴履歴情報を送信するよう制御する（ＳＴＥＰ６１）。
【０１５０】
このように外部端子に接続される装置の挿抜検出後、取得する種別情報や識別情報とユーザーが設定する使用優先順位情報を参考にして、内蔵や外部端子に接続されている装置の中で最も使用優先順位の高い装置を送信先に設定することと、新たな装置を認識した場合は記憶している装置情報の内容を更新するとともに装置情報を提示してユーザーが設定する使用優先順位に使用優先順位情報の内容を更新することと、予定送信日時を送信先に予め送信しておくことにより、実施例１で解決した問題に加えて、デジタル放送における視聴履歴情報の送信のようなユーザーの意志で送信日時が設定できない送信要求においては、送信要求が発生する日時にアダプター装置に携帯型電話機を接続しているとは限らず、そのような送信要求が発生する予定日時情報や予定送信データを外部端子に接続されているアダプター装置に適当に送信する事ができなかったため、アダプター装置で送信要求が発生する日時に携帯型電話機を接続するようユーザーに注意を促すための情報を提供する事ができないという問題を解決するものである。
【０１５１】
（実施の形態５）
以下本発明の第５の実施例を図面を参照しながら説明する。
【０１５２】
図１０は本発明の請求項７記載のアダプター装置の構成を示すものである。
【０１５３】
図１０において５００はアダプターで、実施の形態４で示した通信装置４００と携帯型電話装置との間に接続するアダプターである。５０７はマイコンで、アダプター５００の各要素部に対し後述する制御を行う。５０２は通信機器接続コネクタで、通信装置４００や通信装置４００と接続するためのケーブルを接続するコネクタである。
【０１５４】
５１１は携帯電話接続コネクタで、携帯型電話機や携帯型電話機との間に接続するケーブルを接続するためのコネクタである。５０６はコマンド処理部で、通信機器接続コネクタ５０２に接続される通信装置４００とマイコン５０７の間でコマンドの送受信や応答などのコマンドの処理を行う。５０８は携帯コマンド処理部で、携帯電話接続コネクタ５０２に接続される携帯型電話機とマイコン５０７の間でコマンドの送受信や応答などのコマンドの処理を行う。
【０１５５】
５０９は通信手順処理部で、コネクタ５０２に接続される通信装置４００からの送信データを受信して、フォーマット変換や通信手順変換などの処理を行い携帯電話Ａ５１２に出力する。５０３は日時ＲＡＭで、通信機器接続コネクタ５０２に接続される通信装置４００より受信する視聴履歴情報アップロード日時を示すデータなどの予定送信日時を記憶するメモリーである。
【０１５６】
５０５は表示機コントローラで日時ＲＡＭ５０３に記憶されているデータをマイコン５０７が読み出し予定送信日時をＬＥＤディスプレイなどの日時表示器５０４に表示するための信号変換などを行う。５１０はＡＣ−ＤＣコンバータでＡＣコンセントに接続されるプラグからＡＣ電源を入力し携帯電話Ａ５１２を充電するためのＤＣ電源に変換して携帯電話Ａ５１２に出力する。
【０１５７】
次に図１２を用いて本実施例のアダプター装置のデータ転送動作の説明を行う。アダプター８００は通信装置４００に接続されると、通信装置４００が通信手順や送信先をユーザーに提示するために必要な携帯電話接続コネクタ５１１に接続される携帯型電話機の種別情報や識別情報を取得するための要求コマンドをコマンド処理部５０６で受信後、マイコン５０７の制御により携帯コマンド処理部５０８を用いて携帯電話Ａ５１２が対応しているコマンドに作り直して携帯電話Ａ５１２に送信する。
【０１５８】
その後携帯電話Ａ５１２より受信する応答コマンドを携帯コマンド処理部５０８が受信し、マイコン５０７の制御によりコマンド処理部５０６を用いて通信装置４００が対応しているコマンドに作り直して通信装置４００に送信する。（ＳＴＥＰ７１）。
【０１５９】
その後通信装置４００が送信する視聴履歴情報アップロード日時を示すデータをコマンド処理部５０６で受信後、マイコン５０７で予定送信日時を認識し日時ＲＡＭ５０３に記憶するとともに携帯コマンド処理部５０８を用いて携帯電話Ａ５１２が対応しているコマンドに作り直して携帯電話Ａ５１２に送信する。
【０１６０】
ここで携帯電話Ａ５１２にコマンドを送信しない場合もあり得る（ＳＴＥＰ７３）。マイコン５０７は日時ＲＡＭに記憶されている予定送信日時を日時表示器５０４に表示するよう表示コントローラ５０５を制御する（ＳＴＥＰ７４）。
【０１６１】
その後送信待機状態となる（ＳＴＥＰ７５）。通信装置４００からの送信要求やデータが送られてくるので、コマンド処理部５０６や通信手順処理部９０７で受信し適当にフォーマット変換や通信手順変換した後、携帯電話Ａ５１２に送信する（ＳＴＥＰ７６）。
【０１６２】
なお、アダプター装置で、コマンド処理部５０６、マイコン５０７、携帯コマンド処理部５０８、通信手順処理部５０９を備えず、コマンドや通信手順の変換を行わないものもある。
【０１６３】
このように、通信装置から送信される予定送信日時データを受信し記憶させ、予定送信日時を表示することにより、デジタル放送における視聴履歴情報の送信のようなユーザーの意志で送信日時が設定できない送信要求において、送信要求が発生する日時に携帯型通信装置を接続していない場合、携帯型通信装置を接続するようユーザーに注意を促すことができないという問題を解決するものである。
【０１６４】
（実施の形態６）
以下本発明の第６の実施例を図面を参照しながら説明する。
【０１６５】
図１３は本発明の請求項１記載の通信装置の一例であるデジタル放送受信機の構成を示すものである。
【０１６６】
図１３において６００はデジタル放送受信機である。６０１はチューナーで、アンテナで受信したデジタル放送信号を入力し選局して出力する。６０２はトランスポートデコーダーで、チューナー６０１からの出力信号を入力し所望のパケットをフィルタリングして出力する。
【０１６７】
６０３はＡＶデコーダーで、トランスポートデコーダー６０２の出力するＡＶデータのパケットを入力しＡＶデコードして出力する。６２１はリモコンで、ユーザーがデジタル放送受信機６００の操作を行うためのユーザーインターフェースである。６２２は受光回路で、リモコン６２１が出力する光信号を受信し電気信号に変換した後マイコン６０７に送信する。
【０１６８】
６０４は送信日時ＲＡＭで、トランスポートデコーダー６０２でフィルタリングされる受信機個別情報パケット（以下ＥＭＭパケットと略す）にマッピングされている視聴履歴情報アップロード日時を示すデータを記憶する。６０５は予定送信データＲＡＭで、ユーザーが有料放送を視聴した履歴情報等の視聴履歴情報をマイコン６０７の制御で記憶する。６１０は通信装置情報ＲＡＭで、接続されている通信装置の種別やメーカーなどのデータをマイコン６０７の制御で記憶するメモリーである。
【０１６９】
６２３は送信先ＲＡＭで、送信要求が発生した場合に送信データＲＡＭに記憶されているデーターを送信するために使用する通信装置を示すデータをマイコン６０７の制御で記憶するメモリーである。６０６は優先順位ＲＡＭで、通信装置情報ＲＡＭ６１０に記憶されている装置の中の使用優先順位をマイコン６０７の制御で記憶するメモリーである。
【０１７０】
６２０はＯＳＤコントローラで、マイコン６０７の制御でウィンドウ表示などを表示するための描画データの生成を行う。６１５は携帯電話Ａで、データ通信機能を備えている携帯型電話機である。６１４はアダプターで、携帯電話Ａ６１５の充電と、デジタル放送受信機６００と携帯電話Ａ６１５との間の通信手順変換を行う。６１３はアダプタ６１４を接続するコネクタである。
【０１７１】
６１８は携帯電話Ｂで、データ通信機能を備えている携帯型電話機である。６１７は接続ケーブルで、デジタル放送受信機６００と携帯電話Ｂ６１８との接続を行うためのケーブルである。携帯電話Ｂ６１８はデジタル放送受信機６００と通信手順が同じであるため、携帯電話Ａの場合のようにアダプタ６１４は必要としていない例である。
【０１７２】
また携帯電話Ｂ６１８の充電については図示しない充電器で充電されるものとする。６１６はケーブル６１７を接続するコネクタである。６０８は携帯電話コマンド処理部で、マイコン６０７とコネクタ６１３やコネクタ６１６に接続する携帯型電話機間のコマンドの送受信処理やデータ送受信処理や通信手順の処理を行う。
【０１７３】
６１２は内蔵モデムで公衆電話回線を介してデータ通信するモデムである。６１１はモデムコマンド処理部で、マイコン６０７と内蔵モデム６１２間のコマンドの送受信処理やデータ送受信処理や通信手順の処理を行う。一般的にはＵＡＲＴが多く用いられる。６０７はマイコンで、デジタル放送受信機６００の各要素ブロックの制御を行う。
【０１７４】
なおパケットやデータのやり取りには図示していないＲＡＭを介して行う場合もあるが、本実施例と直接関わらないので省略した。また、コネクタ６１３やコネクタ６１６の数は２つでなくても良くまたそれらの形状も異なっていても同じでも良い。
【０１７５】
また、それらのコネクタに接続される通信装置の対応通信手順については限定するものでなく、デジタル放送受信機６００がそららの通信手順に対応しても良く通信手順アダプターを介して接続しても良い。また、本実施例では、デジタル放送受信機の視聴履歴情報のようなユーザーの意志に関わらず予定送信日時に自動的に送信以外の電子メールのようなユーザーの意志で送信する場合においては、送信日時ＲＡＭ６０４は無い場合もあり得る。
【０１７６】
加えてデジタル放送受信機能が無く単に電子メールなどの送信をするＰＣのような通信装置であれば、チューナー６０１やトランスポートデコーダー６０２や送信日時ＲＡＭ６０４は無い場合もある。
【０１７７】
次に視聴履歴情報送信動作について図１４と図１５を用いて説明する。一般的にユーザーの意志に関わらずＥＭＭパケットは放送局等から送信されるので、視聴履歴情報アップロード日時はＥＭＭパケットを受信したタイミングで送信日時ＲＡＭ６０４に書き込まれる。
【０１７８】
デジタル放送受信機６００の外部端子には携帯電話Ｂ６１８のみが接続されているとする。通信装置情報ＲＡＭ６１０には内蔵モデム６１２と携帯電話Ｂ６１８の情報が記憶されており、優先順位ＲＡＭには以前ユーザーが設定した内蔵モデム６１２が一番で携帯電話Ｂ６１８が二番を示す情報が記憶されており、送信先ＲＡＭには後述する決定方法で決定された内蔵モデムを示す情報が記憶されている。
【０１７９】
ユーザーの通信装置情報ＲＡＭ６１０に記憶されている通信装置のリストを表示する指示をマイコン６０７は認識し、通信装置ＲＡＭ６１０に記憶されている情報を読み出して参考にし装置のリストとして表示するようＯＳＤコントローラ６２０を制御する。
【０１８０】
通信リストを表示する指示はリモコン６２１のキーに関係づけたりすることで実現可能である（ＳＴＥＰ９１）。ユーザーは、携帯電話Ａ６１５が通信装置情報ＲＡＭ６１０に記憶されていない新たな装置であることをリストを見て認識し、携帯電話Ａ６１５を接続したアダプター６１４をコネクタ６１３に接続後、携帯電話Ａ６１５の情報を取得するようリモコン６２１を用いてマイコン６０７に指示する。
【０１８１】
情報を取得する指示はリモコン６２１のキーに関係づけたりすることで実現可能である（ＳＴＥＰ９２）。マイコン６０７は携帯電話コマンド処理部６０８を用いて、コネクタ６１３とコネクタ６１６に接続されている装置の種別やメーカなどのデータを取得する。
【０１８２】
取得情報と通信装置情報ＲＡＭ６１０に記憶されている情報を参照し、新たな携帯電話Ａ６１５が接続されていることを認識し通信装置情報ＲＡＭ６１０に携帯電話Ａ６１５の情報を追加し記憶する（ＳＴＥＰ９３）。マイコン６０７はリストに携帯電話Ａ６１５の情報を追加して表示するようにＯＳＤコントローラ６２０を制御する（ＳＴＥＰ９４）。
【０１８３】
ユーザーはリストの中から使用優先順位を携帯電話Ａ６１５が一番、内蔵モデム６１２が二番、携帯電話Ｂ６１８が三番にするようリモコン６２１を操作して指示したとする（ＳＴＥＰ９５）。マイコン６０７はその指示を認識し優先順位ＲＡＭ６０６に記憶されている内容を認識した内容に更新する（ＳＴＥＰ９６）。
【０１８４】
マイコン６０７は送信する要求が発生した時に使用する通信装置をＳＴＥＰ９３で取得して認識した外部端子に接続されている装置と内蔵モデム６１２の中で最も優先順位の高い携帯電話Ａ６１５に設定し、送信先ＲＡＭ６２３に記憶されている情報を携帯電話Ａ６１５に更新する（ＳＴＥＰ９７）。なお装置情報を取得するのはＳＴＥＰ９３ではなく改めてＳＴＥＰ９７で取得しても良い。
【０１８５】
その状態でデジタル放送受信機６００は送信待機する。その後ユーザーの視聴に応じて予定送信データＲＡＭ６０５に記憶されている視聴履歴情報は更新される（ＳＴＥＰ９８）。マイコン６０７は放送局などから送信される時刻情報を参照するか、図示していない時計を参照して送信日時ＲＡＭ６０４に記憶されている日時になれば送信要求を発生させ（ＳＴＥＰ９９）、予定送信データＲＡＭ６０５に記憶されている視聴履歴情報を読み出して、送信先ＲＡＭ６２３に記憶されている送信先に視聴履歴情報を送信するよう制御する（ＳＴＥＰ１００）。
【０１８６】
また、そのような設定の状態で最も優先順位の高い携帯電話Ａ６１５を外部端子から外した場合を図１５を用いて説明する。送信待機の状態で携帯電話Ａ６１５の抜き取り後（ＳＴＥＰ１０１）、ユーザーの通信装置情報ＲＡＭ６１０に記憶されている通信装置のリストを表示する指示をマイコン６０７は認識し、通信装置ＲＡＭ６１０に記憶されている情報を読み出して参考にし装置のリストとして表示するようＯＳＤコントローラ６２０を制御する（ＳＴＥＰ１０２）。
【０１８７】
ユーザーはリストの中から使用優先順位を内蔵モデム６１２が一番、携帯電話Ｂ６１８が二番、携帯電話Ａ６１５が三番にするようリモコン６２１を操作して指示したとする（ＳＴＥＰ１０３）。マイコン６０７はその指示を認識し優先順位ＲＡＭ６０６に記憶されている内容を認識した内容に更新する（ＳＴＥＰ１０４）。
【０１８８】
マイコン６０７はデータを送信する要求が発生した時に使用する通信装置を、装置情報を取得した外部端子に接続されている装置と内蔵モデム６１２の中で最も優先順位の高い内蔵モデム６１２に設定し、送信先ＲＡＭに記憶されている情報を内蔵モデム６１２に更新する（ＳＴＥＰ１０５）。
【０１８９】
その状態でデジタル放送受信機６００は送信待機する。その後ユーザーの視聴に応じて予定送信データＲＡＭ６０５に記憶されている視聴履歴情報は更新される（ＳＴＥＰ１０６）。マイコン６０７は放送局などから送信される時刻情報を参照するか、図示していない時計を参照して送信日時ＲＡＭ６０４に記憶されている日時になれば送信要求を発生させ（ＳＴＥＰ１０７）、予定送信データＲＡＭ６０５に記憶されている視聴履歴情報を読み出して、送信先ＲＡＭ６２３に記憶されている送信先に視聴履歴情報を送信するよう制御する（ＳＴＥＰ１０８）。
【０１９０】
このように取得する種別情報や識別情報とユーザーが設定する使用優先順位情報を参考にして、内蔵や外部端子に接続されている装置の中で最も使用優先順位の高い装置を送信先に設定することにより、視聴履歴情報送信のための通信装置を内蔵モデム以外に選択できないため公衆電話回線の通信会社と契約していないユーザーに対しては、視聴履歴情報を送信できないという問題や、携帯型電話機を所有し携帯型電話通信会社と契約しているユーザーが、所有する携帯型電話機を用いて視聴履歴情報を送信する事ができないという問題が解決されており、そして接続される装置の識別情報の取得や記憶ができないため、同じ回線を使用する複数の通信装置間においては優先順位の設定ができないという問題を解決するものである。
【０１９１】
【発明の効果】
以上のように本発明の請求項１に対応する第一の発明では、視聴履歴情報送信のための通信装置を内蔵モデム以外に選択できないため公衆電話回線の通信会社と契約していないユーザーに対しては、視聴履歴情報を送信できないという問題や、携帯型電話機を所有し携帯型電話通信会社と契約しているユーザーが、所有する携帯型電話機を用いて視聴履歴情報を送信する事ができないという問題が解決されており、そして接続される装置の識別情報の取得や記憶ができないため、同じ回線を使用する複数の通信装置間においては優先順位の設定ができないという問題を解決する通信装置を提供することができる。
【０１９２】
請求項２に対応する第二の発明では、視聴履歴情報送信のための通信装置を内蔵モデム以外に選択できないため公衆電話回線の通信会社と契約していないユーザーに対しては、視聴履歴情報を送信できないという問題や、携帯型電話機を所有し携帯型電話通信会社と契約しているユーザーが、所有する携帯型電話機を用いて視聴履歴情報を送信する事ができないという問題が解決されており、そして携帯型電話機の接続や取り外すたびにユーザーが送信に使用する通信装置を選択する手間が発生するという問題については、新たな通信装置が接続された時の使用優先順位の設定以外において解決されている。そして接続される装置の識別情報の取得や記憶ができないため、同じ回線を使用する複数の通信装置間においては優先順位の設定ができないという問題を解決する通信装置を提供することができる。
【０１９３】
請求項３に対応する第三の発明では、第二の発明で解決できる問題に加えて、デジタル放送における視聴履歴情報の送信のようなユーザーの意志で送信日時が設定できない送信要求においては、送信要求が発生する日時に携帯型電話装置を接続しているとは限らず、そのような送信要求が発生する予定日時情報や予定送信データを外部端子に接続されている携帯型電話機に適当に送信する事ができなかったため、接続されていない携帯型電話装置から送信させるための情報を提供する事ができないという問題を解決する通信装置を提供することができる。
【０１９４】
請求項４に対応する第四の発明では、第三の発明で解決できる問題に加えて、デジタル放送における視聴履歴情報の送信のようなユーザーの意志で送信日時が設定できない送信要求においては、送信要求が発生する日時に携帯型電話装置を接続しているとは限らず、そのような送信要求が発生する予定日時をユーザーに提示する事ができなかったため、ユーザーに送信要求が発生する日時に携帯型電話機を接続するよう注意を促す事ができないという問題を解決する通信装置を提供することができる。
【０１９５】
請求項５に対応する第五の発明では、第三の発明または第四の発明が解決できる問題に加えて、デジタル放送における視聴履歴情報の送信のようなユーザーの意志で送信日時が設定できない送信要求においては、送信要求が発生する日時に携帯型電話装置を接続しているとは限らず、そのような送信要求が発生する予定日時情報や予定送信データを外部端子に接続されている携帯型電話機に適当に送信する事ができなかったため、接続されていない携帯型電話装置から送信させるための情報を提供する事ができないという問題を解決する通信装置を提供することができる。
【０１９６】
請求項６に対応する第六の発明では、第一の発明または第二の発明または第三の発明または第四の発明または第五の発明が解決できる問題を解決できる通信装置を提供することができる。
【０１９７】
請求項７に対応する第七の発明では、デジタル放送における視聴履歴情報の送信のようなユーザーの意志で送信日時が設定できない送信要求において、送信要求が発生する日時に携帯型通信装置を接続していない場合、携帯型通信装置を接続するようユーザーに注意を促すことができないという問題を解決する携帯型通信装置またはアダプター装置を提供することができる。
【０１９８】
請求項８に対応する第八の発明では、デジタル放送における視聴履歴情報の送信のようなユーザーの意志で送信日時が設定できない送信要求において、送信要求が発生する日時に通信装置を接続していない場合、自ら送信要求を発生して送信データを送信できないという問題や通信装置を接続するようユーザーに注意を促すことができないという問題を解決する携帯型通信装置を提供することができる。
【０１９９】
請求項９に対応する第九の発明では、デジタル放送における視聴履歴情報の送信においては、送信要求が発生する日時に携帯型電話装置を接続しているとは限らず、そのような送信要求が発生する予定日時をユーザーに提示する事ができなかったため、ユーザーに送信要求が発生する日時に携帯型電話機を接続するよう注意を促す事ができないという問題やそのような送信要求が発生する予定日時情報や予定送信データを外部端子に接続されている携帯型電話機に適当に送信する事ができなかったため、接続されていない携帯型電話装置から送信させるための情報を提供する事ができないという問題を解決するデジタル放送受信機を提供することができる。
【０２００】
請求項１０に対応する第十の発明では、デジタル放送における視聴履歴情報の送信においては、送信要求が発生する日時に携帯型電話装置を接続しているとは限らず、そのような送信要求が発生する予定日時情報や予定送信データを外部端子に接続されている携帯型電話機に適当に送信する事ができなかったため、接続されていない携帯型電話装置から送信させるための情報を提供する事ができないという問題を解決する通信装置を提供することができる。
【図面の簡単な説明】
【図１】本発明の通信装置における第一の実施例におけるブロック図
【図２】本発明の通信装置における第一の実施例における動作フローチャート
【図３】本発明の通信装置における第一の実施例における動作フローチャート
【図４】本発明の通信装置における第二の実施例におけるブロック図
【図５】本発明の携帯型通信装置における第一の実施例におけるブロック図
【図６】本発明の通信装置における第二の実施例における動作フローチャート
【図７】本発明の通信装置における第二の実施例における動作フローチャート
【図８】本発明の携帯型通信装置における第一の実施例における動作フローチャート
【図９】本発明の通信装置における第三の実施例におけるブロック図
【図１０】本発明のアダプター装置における第一の実施例におけるブロック図
【図１１】本発明の通信装置における第三の実施例における動作フローチャート
【図１２】本発明のアダプター装置における第一の実施例における動作フローチャート
【図１３】本発明の通信装置における第四の実施例におけるブロック図
【図１４】本発明の通信装置における第四の実施例における動作フローチャート
【図１５】本発明の通信装置における第四の実施例における動作フローチャート
【図１６】通信装置の第一の従来例のブロック図
【図１７】通信装置の第一の従来例の動作フローチャート
【図１８】通信装置の第二の従来例のブロック図
【図１９】通信装置の第二の従来例の動作フローチャート
【図２０】携帯型通信装置の第一の従来例のブロック図
【図２１】携帯型通信装置の第一の従来例の動作フローチャート
【図２２】アダプター装置の第一の従来例のブロック図
【図２３】アダプター装置の第一の従来例の動作フローチャート
【符号の説明】
１００  デジタル放送受信機
１０１  チューナー
１０２  トランスポートデコーダー
１０３  ＡＶデコーダー
１０４  送信日時ＲＡＭ
１０５  予定送信データＲＡＭ
１０６  優先順位ＲＡＭ
１０７  マイコン
１０８  携帯電話コマンド処置部
１０９  挿抜処理部
１１０  通信装置情報ＲＡＭ
１１１  モデムコマンド処理部
１１２  内蔵モデム
１１３  コネクタ
１１４  アダプター
１１５  携帯電話Ａ
１１６  コネクタ
１１７  ケーブル
１１８  携帯電話Ｂ
１１９  コネクタ
１２０  ＯＳＤコントローラ
１２１  リモコン
１２２  受光回路
１２３  送信先ＲＡＭ
１００  デジタル放送受信機
２０１  チューナー
２０２  トランスポートデコーダー
２０３  ＡＶデコーダー
２０４  送信日時ＲＡＭ
２０５  予定送信データＲＡＭ
２０６  優先順位ＲＡＭ
２０７  マイコン
２０８  携帯電話コマンド処置部
２０９  挿抜処理部
２１０  通信装置情報ＲＡＭ
２１１  モデムコマンド処理部
２１２  内蔵モデム
２１３  コネクタ
２１４  アダプター
２１５  携帯電話Ａ
２１６  コネクタ
２１７  ケーブル
２１８  携帯電話Ｂ
２１９  コネクタ
２２０  ＯＳＤコントローラ
２２１  リモコン
２２２  受光回路
２２３  送信先ＲＡＭ
３００  携帯型電話機
３０１  コネクタ
３０２  キーボード
３０３  バッテリー
３０４  ＬＣＤ
３０５  ＬＣＤコントローラ
３０６  コマンド処理部
３０７  送信データ処理部
３０８  送信データＲＡＭ
３０９  マイコン
３１０  送信日時ＲＡＭ
３１１  通信モジュール
４００  デジタル放送受信機
４０１  チューナー
４０２  トランスポートデコーダー
４０３  ＡＶデコーダー
４０４  送信日時ＲＡＭ
４０５  予定送信データＲＡＭ
４０６  優先順位ＲＡＭ
４０７  マイコン
４０８  携帯電話コマンド処置部
４０９  挿抜処理部
４１０  通信装置情報ＲＡＭ
４１１  モデムコマンド処理部
４１２  内蔵モデム
４１３  コネクタ
４１４  アダプター
４１５  携帯電話Ａ
４１６  コネクタ
４１７  ケーブル
４１８  携帯電話Ｂ
４１９  コネクタ
４２０  ＯＳＤコントローラ
４２１  リモコン
４２２  受光回路
４２３  送信先ＲＡＭ
５００  アダプター
５０２  通信機器接続コネクタ
５０３  日時ＲＡＭ
５０４  日時表示器
５０５  表示器コントローラ
５０６  コマンド処理部
５０７  マイコン
５０８  携帯コマンド処理部
５０９  通信手順処理部
５１０  ＡＣ−ＤＣコンバーター
５１１  携帯電話接続コネクタ
５１２  携帯電話Ａ
６００  デジタル放送受信機
６０１  チューナー
６０２  トランスポートデコーダー
６０３  ＡＶデコーダー
６０４  送信日時ＲＡＭ
６０５  予定送信データＲＡＭ
６０６  優先順位ＲＡＭ
６０７  マイコン
６０８  携帯電話コマンド処置部
６１０  通信装置情報ＲＡＭ
６１１  モデムコマンド処理部
６１２  内蔵モデム
６１３  コネクタ
６１４  アダプター
６１５  携帯電話Ａ
６１６  コネクタ
６１７  ケーブル
６１８  携帯電話Ｂ
６１９  コネクタ
６２０  ＯＳＤコントローラ
６２１  リモコン
６２２  受光回路
６２３  送信先ＲＡＭ
７００  デジタル放送受信機
７０１  チューナー
７０２  トランスポートデコーダー
７０３  ＡＶデコーダー
７０４  送信日時ＲＡＭ
７０５  予定送信データＲＡＭ
７０７  マイコン
７１１  モデムコマンド処理部
７１２  内蔵モデム
７１９  コネクタ
７２０  ＯＳＤコントローラ
７２１  リモコン
７２２  受光回路
８００  パーソナルコンピューター
８０７  マイコン
８０８  携帯電話コマンド処置部
８１０  通信装置情報ＲＡＭ
８１１  モデムコマンド処理部
８１２  内蔵モデム
８１３  コネクタ
８１４  アダプター
８１５  携帯電話Ａ
８１６  コネクタ
８１７  ケーブル
８１８  携帯電話Ｂ
８１９  コネクタ
８２１  キーボード
８２２  キースキャン
８２３  送信先ＲＡＭ
８２４  送信データＲＡＭ
８２５  グラフィックコントローラ
８２６  ＬＣＤコントローラ
８２７  ＬＣＤ
９００  携帯型電話機
９０１  コネクタ
９０２  キーボード
９０３  バッテリー
９０４  ＬＣＤ
９０５  ＬＣＤコントローラ
９０６  コマンド処理部
９０７  送信データ処理部
９０９  マイコン
９１１  通信モジュール
１０００  アダプター
１００２  通信機器接続コネクタ
１００６  コマンド処理部
１００７  マイコン
１００８  携帯コマンド処理部
１００９  通信手順処理部
１０１０  ＡＣ−ＤＣコンバーター
１０１１  携帯電話接続コネクタ
１０１２  携帯電話Ａ
【図１】
0004622132.tif 000002
【図２】
0004622132.tif 000003
【図３】
0004622132.tif 000004
【図４】
0004622132.tif 000005
【図５】
0004622132.tif 000006
【図６】
0004622132.tif 000007
【図７】
0004622132.tif 000008
【図８】
0004622132.tif 000009
【図９】
0004622132.tif 000010
【図１０】
0004622132.tif 000011
【図１１】
0004622132.tif 000012
【図１２】
0004622132.tif 000013
【図１３】
0004622132.tif 000014
【図１４】
0004622132.tif 000015
【図１５】
0004622132.tif 000016
【図１６】
0004622132.tif 000017
【図１７】
0004622132.tif 000018
【図１８】
0004622132.tif 000019
【図１９】
0004622132.tif 000020
【図２０】
0004622132.tif 000021
【図２１】
0004622132.tif 000022
【図２２】
0004622132.tif 000023
【図２３】
0004622132.tif 000024